(57)【要約】      （修正有）【課題】組合せ式モバイルホットスポットデバイス及びそのネットワークサービス提供方法と、ネットワークアクセスデバイス及びワイヤレスサービス電源デバイスを提供する。【解決手段】ネットワークアクセスデバイスは、モバイルインターネットにアクセスする能力を備える。ネットワークアクセスデバイスが外部ホストマシンに選択的に電気的に接続された時、外部ホストマシンは、ネットワークアクセスデバイスを介してワイドエリアネットワークに接続される。ネットワークアクセスデバイスがワイヤレスサービス電源デバイスに電気的に接続された時、ワイヤレスサービス電源デバイスは電源をネットワークアクセスデバイスに供給し、ワイヤレスローカルエリアネットワークトランシーバーユニットを制御してモバイルホットスポットネットワークを構築する。これにより、複数の電子デバイスのデータ交換とワイドエリアネットワークのデータアクセスを提供する。【選択図】図１
2013090321.tif 000002
【特許請求の範囲】
【請求項１】
ワイヤレスサービス電源デバイスと、ネットワークアクセスデバイスとを有する組合せ式モバイルホットスポットデバイスであって、
前記ワイヤレスサービス電源デバイスは、
電力を供給するための電力貯蔵ユニットと、
ワイヤレスローカルエリアネットワークアクセス能力を備えるワイヤレスローカルエリアネットワークトランシーバーユニットと
を有し、
前記ネットワークアクセスデバイスは、
外部ホストマシン、或いは前記ワイヤレスサービス電源デバイスに選択的に電気的に接続され、
ワイドエリアネットワークに接続するためのモバイルインターネットにアクセスする能力と、
前記ワイヤレスローカルエリアネットワークトランシーバーユニットを制御するためのワイヤレスアクセスポイントサービスと
を有し、
前記ネットワークアクセスデバイスと前記外部ホストマシンとが電気的に接続された時、前記外部ホストマシンは、前記ネットワークアクセスデバイスを介してワイドエリアネットワークに接続され、
前記ネットワークアクセスデバイスと前記ワイヤレスサービス電源デバイスとが電気的に接続された時、前記ネットワークアクセスデバイスは前記電力貯蔵ユニットが提供する電力を受け取り、前記ワイヤレスアクセスポイントサービスを起動することによって、前記ワイヤレスローカルエリアネットワークトランシーバーユニットを制御してモバイルホットスポットネットワークを構築し、前記モバイルホットスポットネットワークによって、複数の電子デバイスのデータ交換とワイドエリアネットワークのデータアクセスとを提供することを特徴とする、組合せ式モバイルホットスポットデバイス。
【請求項２】
前記ネットワークアクセスデバイスは、ワイドエリアネットワークに接続するためのワイヤレスＷＡＮトランシーバーユニットを備えることを特徴とする、請求項１に記載の組合せ式モバイルホットスポットデバイス。
【請求項３】
前記ワイヤレスアクセスポイントサービスは、ソフトウェア制御プログラムであり、前記ワイヤレスローカルエリアネットワークトランシーバーユニットに接続されて制御を行い、前記モバイルホットスポットネットワークを構築することを特徴とする、請求項２に記載の組合せ式モバイルホットスポットデバイス。
【請求項４】
前記ネットワークアクセスデバイスは、電源管理ユニットを備え、前記外部ホストマシン、或いは前記ワイヤレスサービス電源デバイスが提供する電力を受け取ることを特徴とする、請求項１に記載の組合せ式モバイルホットスポットデバイス。
【請求項５】
前記ワイヤレスサービス電源デバイスは、前記電力貯蔵ユニットに接続される電力補充ユニットをさらに有し、
前記電力補充ユニットは、電力供給器が供給する電力を受け取った後、前記電力貯蔵ユニットに貯蔵することを特徴とする、請求項１に記載の組合せ式モバイルホットスポットデバイス。
【請求項６】
前記ネットワークアクセスデバイスは、接続インターフェースユニット及びコアプロセッサユニットをさらに有するとともに、前記接続インターフェースユニットを介して前記外部ホストマシン或いは前記ワイヤレスサービス電源デバイスに電気的に接続され、
前記コアプロセッサユニットは、前記接続インターフェースユニットがダブル作動モードのホストモード（Ｈｏｓｔ  Ｍｏｄｅ）或いはデバイスモード（Ｄｅｖｉｃｅ  Ｍｏｄｅ）のいずれで作動するかを判断し、
前記ネットワークアクセスデバイスが前記外部ホストマシンに電気的に接続されている時は、前記デバイスモードで作動され、前記ネットワークアクセスデバイスが前記ワイヤレスサービス電源デバイスに電気的に接続されている時は、前記ホストモードで作動されることを特徴とする、請求項１に記載の組合せ式モバイルホットスポットデバイス。
【請求項７】
前記接続インターフェースユニットは、ユニバーサル・シリアル・バス（ＵＳＢ）インターフェース、エスディーアイオー（ＳＤＩＯ）インターフェース、或いはハイスピードインターチップ（ＨＳＩＣ）インターフェースを含むことを特徴とする、請求項６に記載の組合せ式モバイルホットスポットデバイス。
【請求項８】
前記ワイヤレスローカルエリアネットワークトランシーバーユニットは、ワイファイ（Ｗｉ−Ｆｉ）プロトコルを含むことを特徴とする、請求項１に記載の組合せ式モバイルホットスポットデバイス。
【請求項９】
ネットワークアクセスデバイスとワイヤレスサービス電源デバイスに適用されるモバイルホットスポットデバイスのネットワークサービス提供の方法であって、
前記ネットワークアクセスデバイスは、
ワイドエリアネットワークに接続するためのモバイルインターネットにアクセスする能力と、
ワイヤレスローカルエリアネットワークアクセス能力と
を備え、
前記方法は、
前記ネットワークアクセスデバイスを、前記ワイヤレスサービス電源デバイス、或いは外部ホストマシンに選択的に電気的に接続する手順と、
前記ネットワークアクセスデバイスが前記ワイヤレスサービス電源デバイスに電気的に接続されている場合は、前記ネットワークアクセスデバイスはダブル作動モードのホストモードで作動される手順と、
前記ワイヤレスサービス電源デバイスによって、電力が前記ネットワークアクセスデバイスに供給される手順と、
前記ネットワークアクセスデバイスのコアプロセッサユニットによって、ワイヤレスアクセスポイントサービスが起動され、前記ワイヤレスアクセスポイントサービスによって前記ワイヤレスサービス電源デバイスのワイヤレスローカルエリアネットワークトランシーバーユニットに接続されて制御を行い、モバイルホットスポットネットワークを構築し、前記モバイルホットスポットネットワークによって、複数の電子デバイスのデータ交換と、ワイドエリアネットワークのデータアクセスを提供することができる手順と、
を含むことを特徴とする、モバイルホットスポットデバイスのネットワークサービス提供の方法。
【請求項１０】
前記ネットワークアクセスデバイスが前記外部ホストマシンに電気的に接続されている場合は、前記ネットワークアクセスデバイスはダブル作動モードのデバイスモードで作動される手順と、
前記外部ホストマシンによって、電力が前記ネットワークアクセスデバイスに供給される手順と、
前記外部ホストマシンは、前記ネットワークアクセスデバイスを介してワイドエリアネットワークに接続される手順と、
を更に含むことを特徴とする、請求項９に記載のモバイルホットスポットデバイスのネットワークサービス提供の方法。
【請求項１１】
接続インターフェースユニットと、コアプロセッサユニットと、ワイヤレスＷＡＮトランシーバーユニットと、ワイヤレスアクセスポイントサービスとからなるネットワークアクセスデバイスであって、
前記接続インターフェースユニットは、外部デバイスに電気的に接続され、
前記コアプロセッサユニットは、前記ネットワークアクセスデバイスを制御し、前記接続インターフェースユニットがダブル作動モードのホストモードまたはデバイスモードのいずれで作動するかを判断し、
前記ワイヤレスＷＡＮトランシーバーユニットは、ワイドエリアネットワークに接続するためのモバイルインターネットアクセス能力を備え、
前記ワイヤレスアクセスポイントサービスは、ソフトウェア制御プログラムであり、ワイヤレスサービス電源デバイスと一緒に用いることで、ソフトウェア制御機能を選択的に起動し、
前記外部デバイスが前記ワイヤレスサービス電源デバイスである時、前記接続インターフェースユニットは、前記ホストモードで作動されるとともに、前記ワイヤレスアクセスポイントサービスを起動し、前記ワイヤレスサービス電源デバイスと一緒にモバイルホットスポットネットワークを構築し、前記モバイルホットスポットネットワークによって、複数の電子デバイスのデータ交換と、ワイドエリアネットワークとの接続とを提供することができ、
前記接続インターフェースユニットが前記デバイスモードで作動される時、前記外部デバイスは前記ワイヤレスＷＡＮトランシーバーユニットを介してワイドエリアネットワークに接続されることを特徴とする、ネットワークアクセスデバイス。
【請求項１２】
前記外部デバイスが供給する電力を受け取るための電源管理ユニットを更に備えたことを特徴とする、請求項１１に記載のネットワークアクセスデバイス。
【請求項１３】
前記接続インターフェースユニットは、ユニバーサル・シリアル・バス（ＵＳＢ）インターフェース、エスディーアイオー（ＳＤＩＯ）インターフェース、或いはハイスピードインターチップ（ＨＳＩＣ）インターフェースを含むことを特徴とする、請求項１１に記載のネットワークアクセスデバイス。
【請求項１４】
電力貯蔵ユニットと、ワイヤレスローカルエリアネットワークトランシーバーユニットとを有するワイヤレスサービス電源デバイスであって、
前記電力貯蔵ユニットは、外部デバイスに電力を供給、或いは外部電源が供給する電力を貯蔵し、
前記ワイヤレスローカルエリアネットワークトランシーバーユニットは、ワイヤレスローカルエリアネットワーク接続サービスを前記外部デバイスに提供するためのワイヤレスローカルエリアネットワークアクセス能力を備えることにより、前記外部デバイスはワイヤレスローカルエリアネットワークアクセス能力を備えることができ、
前記外部デバイスがモバイルインターネットにアクセスする能力を備えるとともに、ワイヤレスアクセスポイントサービスを提供する場合、前記ワイヤレスサービス電源デバイスと前記外部デバイスの連結により、モバイルホットスポットネットワークが構築され、前記モバイルホットスポットネットワークによって、複数の電子デバイスのデータ交換と、ワイドエリアネットワークとの接続とを提供することができることを特徴とする、ワイヤレスサービス電源デバイス。
【請求項１５】
電力供給器が供給する電力を受け取った後、前記電力貯蔵ユニットに貯蔵する電力補充ユニットを更に備えることを特徴とする、請求項１４に記載のワイヤレスサービス電源デバイス。
【請求項１６】
前記ワイヤレスサービス電源デバイスは、前記外部デバイスに電気的に接続するための接続インターフェースユニットを更に備え、
前記電力貯蔵ユニットは、前記接続インターフェースユニットを介して電力を前記外部デバイスに出力、或いは前記接続インターフェースユニットを介して前記外部デバイスが供給する電力を受け取ることを特徴とする、請求項１４に記載のワイヤレスサービス電源デバイス。
【請求項１７】
前記接続インターフェースユニットは、ユニバーサル・シリアル・バス（ＵＳＢ）インターフェース、エスディーアイオー（ＳＤＩＯ）インターフェース、或いはハイスピードインターチップ（ＨＳＩＣ）インターフェースを含むことを特徴とする、請求項１６に記載のワイヤレスサービス電源デバイス。
【請求項１８】
前記ワイヤレスローカルエリアネットワークトランシーバーユニットは、ワイファイ（Ｗｉ−Ｆｉ）プロトコルを含むことを特徴とする、請求項１４に記載のワイヤレスサービス電源デバイス。
【発明の詳細な説明】
【技術分野】
【０００１】
本発明はモバイルホットスポットデバイスに係り、特に、組合せ式モバイルホットスポットデバイス及びそのネットワークサービス提供方法、ネットワークアクセスデバイス及びワイヤレスサービス電源デバイスに関するものである。
【背景技術】
【０００２】
ネットワーク環境が日増しに発達するにつれ、ネットワークを利用して情報を得たり、個人的な或いは仕事上の各種の事柄を処理したりすることが一般的になってきている。更には、現在のモバイルインターネット環境と技術がだんだん成熟してきているため、使用者は携帯電話、携帯情報端末（ＰＤＡ）、或いはタブレットＰＣ等の各種の携帯式通信デバイスを用いてモバイルインターネットを行い、いつでも必要な情報を得ることができる。ポータブルワイヤレス通信デバイス以外にも、インターネット（Ｉｎｔｅｒｎｅｔ）に接続するのに用いられる各種の通信機器が、使用量の増加に伴い普及してきている。例えば、インターネットとポータブル通信デバイスをブリッジ接続するワイヤレスアクセスポイント（Ａｃｃｅｓｓ  Ｐｏｉｎｔ或いはＷｉｒｅｌｅｓｓ  Ａｃｃｅｓｓ  Ｐｏｉｎｔ）である。その主な機能は、ルーター（Ｒｏｕｔｅｒ）の機能と同じであり、各種のポータブル通信装置から伝送されたデータパケットの伝送方式と方向を決め、一つ一つのネットワークノード（Ｎｏｄｅ）を通じてデータを目的地へ伝送する。このプロセスをルーティング（Ｒｏｕｔｉｎｇ）と呼ぶ。上述のルーターは、二つ或いはもっと多くのネットワークの合流箇所に設けられ、ルーティングテーブル（Ｒｏｕｔｉｎｇ  Ｔａｂｌｅ）に基づいて、各端の間でデータパケットを伝送する。また、各データパケットをルーティングできるようにするために、ルーターの間はルーティングプロトコルを通して通信を行うとともに、それぞれのルーティングテーブルをメンテナンスし、データパケットはこのプロトコルに基づいて目的地へ伝送される。
【０００３】
現在は、モバイルホットスポット（Ｍｏｂｉｌｅ  Ｈｏｔｓｐｏｔ）デバイスによって、パソコンや携帯電話等の電子デバイスでインターネットブラウジングを行ったり、ローカルエリアネットワークを構築したりしてデータを共有することができる。一般的に言うと、モバイルホットスポットは、３Ｇ、Ｗｉｍａｘ等のワイヤレスＷＡＮ（Ｗｉｒｅｌｅｓｓ  Ｗｉｄｅ  Ａｒｅａ  Ｎｅｔｗｏｒｋ、  ＷＷＡＮ）及びワイファイ（Ｗｉｒｅｌｅｓｓ  Ｆｉｄｅｌｉｔｙ、  Ｗｉ−Ｆｉ）プロトコルローカルエリアネットワーク共有機能を有するルーターを備えており、スマートフォン、ノートＰＣ及びタブレットＰＣ等の電子デバイスを同時にワイヤレスＷＡＮに接続させることができる。
【０００４】
しかしながら、現在のモバイルホットスポットデバイスは、いずれもＷＷＡＮパーツ、Ｗｉ−Ｆｉパーツ及び電池パーツを一つの装置の内に設けている。また、使用者が携帯しやすくするために、通常、モバイルホットスポットデバイスのサイズはいずれも小さめに設計されている。このため、モバイルホットスポットデバイス内の電池デバイスの電力貯蔵容量は制限され、モバイルホットスポットデバイスを長時間使用することができない。また、ＷＷＡＮパーツ及びＷｉ−Ｆｉパーツを同時にモバイルホットスポットデバイス内に置くと、互いに電磁干渉を起こしやすくなる。それ以外に、全ての構成部材を一つの装置の内に設けると製造コストが高くなり、また、放熱が悪くなるという問題も生じやすくなる。
【発明の概要】
【発明が解決しようとする課題】
【０００５】
上述した従来の技術の問題に鑑み、本発明は、従来の技術のモバイルホットスポットデバイスが抱える電力貯蔵容量が低い、電磁干渉を起こしやすい、放熱が悪い、及び製造コストが高いという問題を解決することができる、組合せ式モバイルホットスポットデバイス及びそのネットワークサービス提供方法、ネットワークアクセスデバイス及びワイヤレスサービス電源デバイスを提供することを目的とする。
【課題を解決するための手段】
【０００６】
本発明の目的に基づき、一種の組合せ式モバイルホットスポットデバイスを提供する。本発明による組合せ式モバイルホットスポットデバイスは、ワイヤレスサービス電源デバイスと、ネットワークアクセスデバイスとからなる。ワイヤレスサービス電源デバイスは、電力貯蔵ユニットと、ワイヤレスローカルエリアネットワークトランシーバーユニットとからなる。電力貯蔵ユニットは電源を供給する。ワイヤレスローカルエリアネットワークトランシーバーユニットは、ワイヤレスローカルエリアネットワークアクセス能力を備える。ネットワークアクセスデバイスは、外部ホストマシン或いはワイヤレスサービス電源デバイスに選択的に電気的に接続される。ネットワークアクセスデバイスは、ワイドエリアネットワークに接続するためのモバイルインターネットにアクセスする能力を備える。また、ネットワークアクセスデバイスは、ワイヤレスローカルエリアネットワークトランシーバーユニットを制御するためのワイヤレスアクセスポイントサービスを備える。ネットワークアクセスデバイスと外部ホストマシンとが電気的に接続された時、外部ホストマシンはネットワークアクセスデバイスを介してワイドエリアネットワークに接続される。また、ネットワークアクセスデバイスとワイヤレスサービス電源デバイスが電気的に接続された時、ネットワークアクセスデバイスは、電力貯蔵ユニットが供給する電源を受け取るとともに、ワイヤレスアクセスポイントサービスを起動させ、ワイヤレスローカルエリアネットワークトランシーバーユニットを制御し、モバイルホットスポットネットワークを構築する。そして、モバイルホットスポットネットワークによって、複数の電子デバイスのデータ交換とワイドエリアネットワークのデータアクセスを提供することができる。
【０００７】
好ましくは、ネットワークアクセスデバイスは、ワイドエリアネットワークに接続するためのワイヤレスＷＡＮトランシーバーユニットを備える。
【０００８】
好ましくは、ワイヤレスアクセスポイントサービスは、ソフトウェア制御プログラムであり、ネットワークアクセスデバイスがワイヤレスサービス電源デバイスに電気的に接続された時、ワイヤレスローカルエリアネットワークトランシーバーユニットに接続されて制御を行い、モバイルホットスポットネットワークを構築する。
【０００９】
好ましくは、ネットワークアクセスデバイスは、外部ホストマシン或いはワイヤレスサービス電源デバイスから供給される電源を受け取るための電源管理ユニットを備える。
【００１０】
好ましくは、ワイヤレスサービス電源デバイスは、電力補充ユニットを備え、この電力補充ユニットは、電力貯蔵ユニットに接続されるとともに、電源供給器から供給される電力を受け取った後、前記電力貯蔵ユニットに貯蔵させる。
【００１１】
好ましくは、ネットワークアクセスデバイスは、接続インターフェースユニット及びコアプロセッサユニットを更に備え、ネットワークアクセスデバイスは、接続インターフェースユニットを介して外部ホストマシン或いはワイヤレスサービス電源デバイスに電気的に接続され、コアプロセッサユニットは、接続インターフェースユニットがダブル作動モードのホストモード（Ｈｏｓｔ  Ｍｏｄｅ）或いはデバイスモード（Ｄｅｖｉｃｅ  Ｍｏｄｅ）のいずれで作動するかを判断する。ネットワークアクセスデバイスが外部ホストマシンに電気的に接続されている時は、デバイスモードで作動される。ネットワークアクセスデバイスがワイヤレスサービス電源デバイスに電気的に接続されている時は、ホストモードで作動される。
【００１２】
好ましくは、接続インターフェースユニットは、ユニバーサル・シリアル・バス（ＵＳＢ）インターフェース、エスディーアイオー（ＳＤＩＯ）インターフェース、或いはハイスピードインターチップ（ＨＳＩＣ）インターフェースを含む。
【００１３】
好ましくは、ワイヤレスローカルエリアネットワークトランシーバーユニットは、ワイファイ（Ｗｉ−Ｆｉ）プロトコルを含む。
【００１４】
また、本発明の目的に基づき、一種のモバイルホットスポットデバイスのネットワークサービス提供方法を提供する。本発明によるモバイルホットスポットデバイスのネットワークサービス提供方法は、ネットワークアクセスデバイスとワイヤレスサービス電源デバイスに適用される。ネットワークアクセスデバイスは、ワイドエリアネットワークに接続するためのモバイルインターネットにアクセスする能力を備える。ワイヤレスサービス電源デバイスは、ワイヤレスローカルエリアネットワークアクセス能力を備える。前記方法は、以下の手順を含む。ネットワークアクセスデバイスをワイヤレスサービス電源デバイス、或いは外部ホストマシンに選択的に電気的に接続する。ネットワークアクセスデバイスがワイヤレスサービス電源デバイスに電気的に接続されている場合は、ネットワークアクセスデバイスはダブル作動モードのホストモードで作動される。ワイヤレスサービス電源デバイスによって電源がネットワークアクセスデバイスに供給される。また、ネットワークアクセスデバイスのコアプロセッサユニットによって、ワイヤレスアクセスポイントサービスが起動され、ワイヤレスアクセスポイントサービスによってワイヤレスサービス電源デバイスのワイヤレスローカルエリアネットワークトランシーバーユニットに接続されて制御を行い、モバイルホットスポットネットワークを構築する。そして、モバイルホットスポットネットワークによって、複数の電子デバイスのデータ交換と、ワイドエリアネットワークのデータアクセスを提供することができる。
【００１５】
本発明のモバイルホットスポットデバイスのネットワークサービス提供方法は、更に以下の手順を含む。ネットワークアクセスデバイスが外部ホストマシンに電気的に接続されている場合は、ネットワークアクセスデバイスはダブル作動モードのデバイスモードで作動される。外部ホストマシンによって、電源がネットワークアクセスデバイスに供給される。また、外部ホストマシンはネットワークアクセスデバイスを介してワイドエリアネットワークに接続される。
【００１６】
また、本発明の目的に基づき、更に一種のネットワークアクセスデバイスを提供する。本発明によるネットワークアクセスデバイスは、接続インターフェースユニットと、コアプロセッサユニットと、ワイヤレスＷＡＮトランシーバーユニットと、ワイヤレスアクセスポイントサービスと、を有する。接続インターフェースユニットは外部デバイスに電気的に接続される。コアプロセッサユニットは、ネットワークアクセスデバイスを制御し、接続インターフェースユニットがダブル作動モードのホストモードまたはデバイスモードのいずれで作動するか判断する。ワイヤレスＷＡＮトランシーバーユニットは、ワイドエリアネットワークに接続するためのモバイルインターネットにアクセスする能力を備える。ワイヤレスアクセスポイントサービスは、ソフトウェア制御プログラムであり、ワイヤレスサービス電源デバイスと一緒に用いることで、ソフトウェア制御機能を選択的に起動することができる。外部デバイスがワイヤレスサービス電源デバイスである時、接続インターフェースユニットは、ホストモードで作動されるとともに、ワイヤレスアクセスポイントサービスを起動し、ワイヤレスサービス電源デバイスと一緒にモバイルホットスポットネットワークを構築する。そして、モバイルホットスポットネットワークによって、複数の電子デバイスのデータ交換と、ワイドエリアネットワークとの接続を提供することができる。接続インターフェースユニットがデバイスモードで作動される時、外部デバイスは、ワイヤレスＷＡＮトランシーバーユニットを介してワイドエリアネットワークに接続される。
【００１７】
また、本発明の目的に基づき、更に一種のワイヤレスサービス電源デバイスを提供する。本発明によるワイヤレスサービス電源デバイスは、電力貯蔵ユニットと、ワイヤレスローカルエリアネットワークトランシーバーユニットとからなる。電力貯蔵ユニットは、外部デバイスに電力を供給、或いは外部電源から供給される電力を貯蔵する。ワイヤレスローカルエリアネットワークトランシーバーユニットは、ワイヤレスローカルエリアネットワーク接続サービスを前記外部デバイスに提供するためのワイヤレスローカルエリアネットワークアクセス能力を備えることにより、外部デバイスはワイヤレスローカルエリアネットワークアクセス能力を備えることができる。外部デバイスがモバイルインターネットにアクセスする能力を備え、ワイヤレスアクセスポイントサービスを提供する場合、ワイヤレスサービス電源デバイスと外部デバイスの連結により、モバイルホットスポットネットワークが構築される。そして、モバイルホットスポットネットワークによって、複数の電子デバイスのデータ交換と、ワイドエリアネットワークとの接続を提供することができる。
【００１８】
上述した本発明の組合せ式モバイルホットスポットデバイス及びそのネットワークサービス提供方法、ネットワークアクセスデバイス及びワイヤレスサービス電源デバイスは、一つ、或いは複数の下記の利点を有する。
【００１９】
１、この組合せ式モバイルホットスポットデバイスは、主に、ワイヤレスＷＡＮにアクセスする機能をネットワークアクセスデバイス内に設け、ワイヤレスローカルエリアネットワークサービスの機能及び電源の貯蔵と出力機能をワイヤレスサービス電源デバイス内に設ける。それにより、ネットワークアクセスデバイスは、単独で作動できるだけでなく、使用者が電子デバイスをワイドエリアネットワークに接続するツールとして使用することができる。使用者が必要とする時、ネットワークアクセスデバイスとワイヤレスサービス電源デバイスを組み合わせることもでき、組み合わせたデバイスはモバイルホットスポットデバイスとなる。ホットスポットデバイスは、ローカルエリアネットワーク内にある複数の電子機器を同時にワイドエリアネットワークに接続させることができるため、本発明のデバイスの操作をより柔軟性と実用性に富ませることができる。
【００２０】
２、２、この組合せ式モバイルホットスポットデバイスは、ワイヤレスＷＡＮアクセスパーツとワイヤレスローカルエリアネットワークアクセスパーツ及び電源の貯蔵と出力パーツを、それぞれネットワークアクセスデバイス及びワイヤレスサービス電源デバイス内に設ける。それにより、各パーツに接続されるアンテナの距離を増やし、電磁干渉を効果的に減らすことができ、組合せ式モバイルホットスポットの通信機能を改善することができる。分離して設計された各デバイスは大きな放熱面積を使用しているため、デバイスの放熱問題を効果的に改善することができる。また、前記ワイヤレスサービス電源デバイスの大きさを増やすことで、電力貯蔵容量を拡大させることができ、ワイヤレスサービス電源デバイスとネットワークアクセスデバイスを組み合わせた時に、その使用時間を長くすることができる。また、本発明によるモバイルホットスポットネットワークサービスは、ワイヤレスローカルエリアネットワークトランシーバーユニットによって容量の拡充を行うことができ、ワイヤレスネットワークサービス容量の拡充の柔軟性を向上させることができる。それ以外にも、ネットワークアクセスデバイスとワイヤレスサービス電源デバイスは独立設計であることにより、生産過程と製造プロセスを平行して独立に行うことができるため、製造コストを改善し下げることができる。
【図面の簡単な説明】
【００２１】
【図１】本発明のネットワークアクセスデバイスの概略図である。
【図２】本発明のワイヤレスサービス電源デバイスの概略図である。
【図３】本発明のネットワークアクセスデバイス及びワイヤレスサービス電源デバイスをそれぞれ独立して作動させた実施例の概略図である。
【図４】本発明の組合せ式モバイルホットスポットデバイスの実施例の概略図である。
【図５】本発明の組合せ式モバイルホットスポットデバイスのネットワークサービス提供方法の手順を示すフローチャートである。
【発明を実施するための形態】
【００２２】
本発明の技術の特徴、内容、利点及び達成できる効果を説明しやすくするために、本発明の図を併せながら、実施例を挙げつつ以下に詳細な説明を行う。なお、説明で使用する図は、概略であり、明細書を補足するためだけに用いられるのであって、本発明を実施した後の実際の比率と正確な配置を示しているとは限らない。したって、添付した図の比率と配置関係によって、本発明の実際の実施上の権利範囲が限定されるものではない。
【００２３】
図１を参照する。図１は、本発明のネットワークアクセスデバイスの概略図である。図において、ネットワークアクセスデバイス１は、ワイヤレスアクセスポイント（Ｗｉｒｅｌｅｓｓ  Ａｃｃｅｓｓ  Ｐｏｉｎｔ、Ｗｉｒｅｌｅｓｓ  ＡＰ）サービス１１と、ワイヤレスＷＡＮトランシーバーユニット１２と、コアプロセッサユニット１３と、接続インターフェースユニット１４と、電源管理ユニット１５とを備えている。接続インターフェースユニット１４は、主に、一台の外部デバイスに電気的に接続される。この接続インターフェースユニット１４は、ホストモード（Ｈｏｓｔ  Ｍｏｄｅ）或いはデバイスモード（Ｄｅｖｉｃｅ  Ｍｏｄｅ）のダブル作動モードで作動する機能を備える。なお、接続インターフェースユニットの規格は、ユニバーサル・シリアル・バス（Ｕｎｉｖｅｒｓａｌ  Ｓｅｒｉａｌ  Ｂｕｓ、ＵＳＢ）インターフェース、エスディーアイオー（Ｓｅｃｕｒｅ  Ｄｉｇｉｔａｌ  Ｉｎｐｕｔ／Ｏｕｔｐｕｔ、ＳＤＩＯ）インターフェース、或いはハイスピードインターチップ（Ｈｉｇｈ  Ｓｐｅｅｄ  Ｉｎｔｅｒ−Ｃｈｉｐ、ＨＳＩＣ）インターフェース等を含む。ワイヤレスＷＡＮトランシーバーユニット１２とコアプロセッサユニット１３とは、前記ネットワークアクセスデバイス１内のワイヤレスＷＡＮアクセスコアモジュールとして使用することができる。コアプロセッサユニット１３は、ネットワークアクセスデバイス１内にインストールされるソフトウェア、プログラム、或いはファームウェアと、前記ソフトウェア、プログラム、或いはファームウェアで作動する電子パーツ等である。ソフトウェア、プログラム、或いはファームウェアは、接続インターフェースユニット１４の外部デバイスと接続した時の作動モードを判断する。また、ワイヤレスＷＡＮトランシーバーユニット１２は、ワイドエリアネットワークに接続するためのモバイルインターネットにアクセスする能力を備えている。ワイヤレスＷＡＮトランシーバーユニット１２が使用する技術は、第ニ世代携帯電話通信技術（２ｎｄ−ｇｅｎｅｒａｔｉｏｎ、２Ｇ）、第三世代携帯電話通信技術（３ｒｄ−ｇｅｎｅｒａｔｉｏｎ、  ３Ｇ）、或いはワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）等を含む。ワイヤレスアクセスポイントサービス１１は、コアプロセッサユニット１３で作動するソフトウェア、或いはプログラムであり、その機能は、ワイヤレスローカルエリアネットワークトランシーバーデバイスを制御してワイヤレスローカルエリアネットワークを構築し、ワイヤレスＷＡＮトランシーバーユニット１２が接続したワイドエリアネットワークにブリッジ接続する。ワイヤレスアクセスポイントサービス１１の作動は、コアプロセッサユニット１３が接続インターフェースユニット１４の作動モードに応じて起動させるか停止させるかを決める。電源管理ユニット１５は、外部デバイスが供給する電源を受け取り、電圧変換を行った後、ネットワークアクセスデバイス１に、各構成ユニットの電子パーツが必要とする作動電力を供給する。
【００２４】
上述した内容において、ネットワークアクセスデバイス１の接続インターフェースユニット１４に電気的に接続された外部デバイスが、ノートパソコン等一台の外部ホストマシンである場合、コアプロセッサユニット１３が、接続インターフェースユニット１４がデバイスモード（Ｄｅｖｉｃｅ  Ｍｏｄｅ）で作動することを判断するとともに、ネットワークアクセスデバイス１のワイヤレスＷＡＮトランシーバーユニット１２が前記一台の外部デバイスをワイドエリアネットワークに接続させ、それによって、ワイドエリアネットワーク上のデータにアクセスすることができる。
【００２５】
図２を参照する。図２は、本発明のワイヤレスサービス電源デバイス２の概略図である。図において、ワイヤレスサービス電源デバイス２は、電力貯蔵ユニット２１と、電力補充ユニット２２と、ワイヤレスローカルエリアネットワークトランシーバーユニット２３と、接続インターフェースユニット２４とからなる。ワイヤレスサービス電源デバイス２は、接続インターフェースユニット２４を介して、ホストモード（Ｈｏｓｔ  Ｍｏｄｅ）で作動可能な外部デバイスに電気的に接続されるとともに、ワイヤレスローカルエリアネットワークトランシーバーユニット２３と前記外部デバイスとの共同作動により、ワイヤレスローカルエリアネットワークにアクセスする操作能力を構築することができる。接続インターフェースユニット２４のインターフェース規格は、ユニバーサル・シリアル・バス（ＵＳＢ）インターフェース、エスディーアイオー（ＳＤＩＯ）インターフェース、或いはハイスピードインターチップ（ＨＳＩＣ）インターフェース等であり、その作動モードは、唯一、デバイスモード（Ｄｅｖｉｃｅ  Ｍｏｄｅ）のみで作動する。電力貯蔵ユニット２１は、電力を貯蔵するとともに、電力を外部デバイスに供給する。電力貯蔵ユニット２１は充電池等であるが、これに限定されるものではない。電力補充ユニット２２は、外部の電源供給器等が供給する電力を受け取るとともに、受け取った電力を電力貯蔵ユニット２１に貯蔵する。ワイヤレスローカルエリアネットワークトランシーバーユニット２３は、ワイヤレスローカルエリアネットワークアクセス能力を有し、ホストモード（Ｈｏｓｔ  Ｍｏｄｅ）で作動する外部デバイスによって操作・制御される。なお、ワイヤレスローカルエリアネットワークトランシーバーユニット２３は、ワイファイ（Ｗｉ−Ｆｉ）プロトコルを含む。
【００２６】
上述した内容において、ワイヤレスサービス電源デバイス２に電気的に接続された外部デバイスが、ノートパソコン、或いはパーソナルコンピューター等である時は、ワイヤレスサービス電源デバイス２の電力貯蔵ユニット２１は、接続インターフェースユニット２４を介して、前記外部デバイスが供給する電力を受け取り貯蔵する。例えば、前記外部デバイスは、接続インターフェースユニット２４の直流電源（Ｄｉｒｅｃｔ  Ｃｕｒｒｅｎｔ、ＤＣ）バスバーを通して、電力を電力補充ユニット２２に引き入れた後、電力貯蔵ユニット２１に貯蔵する。また、この時、ワイヤレスサービス電源デバイス２のワイヤレスローカルエリアネットワークトランシーバーユニット２３によって、前記外部デバイスはワイヤレスローカルエリアネットワークに接続される。しかしながら、ワイヤレスサービス電源デバイス２は、接続インターフェースユニット２４を介して、逆に前記外部デバイスに電力を供給することもでき、電力供給装置として使用することもできる。
【００２７】
上述した内容において、図１のネットワークアクセスデバイス１の接続インターフェースユニット１４に電気的に接続された外部デバイスが、図２のワイヤレスサービス電源デバイス２である時、それは本発明の組合せ式モバイルホットスポットデバイスになる。ワイヤレスサービス電源デバイス２は、電力貯蔵ユニット２１から接続インターフェースユニット２４の直流電源バスバーを介して、電力をネットワークアクセスデバイス１に供給する。また、ワイヤレスサービス電源デバイス２の電力補充ユニット２２は、外部の電力供給器から供給された電力を電力貯蔵ユニット２１に貯蔵する。ネットワークアクセスデバイス１のコアプロセッサユニット１３は、接続インターフェースユニット１４がホストモード（Ｈｏｓｔ  Ｍｏｄｅ）で作動することを判断するとともに、ワイヤレスアクセスポイントサービス１１のプログラムを起動させる。ワイヤレスアクセスポイントサービス１１はワイヤレスローカルエリアネットワークトランシーバーユニット２３に接続して起動させ、ワイヤレスローカルエリアネットワークを構築するとともに、このワイヤレスローカルエリアネットワークを、ワイヤレスＷＡＮトランシーバーユニット１２に接続されたワイドエリアネットワークにブリッジ接続させる。ワイヤレスローカルエリアネットワークとワイヤレスＷＡＮのブリッジ接続が完成すると、ワイヤレスローカルエリアネットワーク内にある複数の電子デバイスをワイドエリアネットワークに同時に接続させること、或いはワイヤレスローカルエリアネットワーク内でデータの共有と交換を行わせることができる。これは即ち本発明による組合せ式モバイルホットスポットネットワークであり、そのネットワークサービスの接続とアクセスは、従来のモバイルホットスポットネットワークと同じ操作方法と作動能力を有する。
【００２８】
図３は、本発明のネットワークアクセスデバイス及びワイヤレスサービス電源デバイスをそれぞれ独立して作動させた実施例の概略図である。図には、本発明によるネットワークアクセスデバイス１００とワイヤレスサービス電源デバイス２００が描かれている以外に、ノートパソコン３００等の外部ホストマシンと外部デバイス４００も描かれている。ネットワークアクセスデバイス１００には、２Ｇ、３Ｇ或いはＷＩＭＡＸ等のネットワーク通信技術が設けられ、それによりネットワークアクセスデバイス１００はモバイルインターネットにアクセスする能力を備えることができ、ワイドエリアネットワークに接続することができる。ネットワークアクセスデバイス１００とノートパソコン３００が電気的に接続された時、ネットワークアクセスデバイス１００は、自身がダブル作動モードのデバイスモード（Ｄｅｖｉｃｅ  Ｍｏｄｅ）で作動することを判別し、ノートパソコン３００が提供する電力を受け取るとともに、ノートパソコン３００をワイドエリアネットワークに接続させる。上述の内容において、ネットワークアクセスデバイス１００がデバイスモードで作動されている時、ネットワークアクセスデバイス１００内に設けられたワイヤレスアクセスポイントサービスはオフになる。なお、ネットワークアクセスデバイス１００とノートパソコン３００は、ユニバーサル・シリアル・バス（ＵＳＢ）インターフェース、エスディーアイオー（ＳＤＩＯ）インターフェース、或いはハイスピードインターチップ（ＨＳＩＣ）インターフェースを介して電気的に接続することができる。また、ネットワークアクセスデバイス１００は、使用者が携帯しやすいように、ＵＳＢメモリに似た形態に設計することができる。しかしながら、上述したものはいずれも一つの実施形態であり、本発明はこれによって制限されない。
【００２９】
ワイヤレスサービス電源デバイス２００は、電力の貯蔵と供給の能力を備えているとともに、Ｗｉ−Ｆｉ通信の能力を提供するパーツが設けられることにより、ワイヤレスサービス電源デバイス２００はワイヤレスローカルエリアネットワークアクセス能力を備えることができる。このワイヤレスサービス電源デバイス２００はダブル作動モードのデバイスモード（Ｄｅｖｉｃｅ  Ｍｏｄｅ）で作動され、ワイヤレスサービス電源デバイス２００が外部デバイス４００と接続された時、外部デバイス４００はワイヤレスサービス電源デバイス２００に電力を供給する。また、ワイヤレスサービス電源デバイス２００は、外部デバイス４００をワイヤレスローカルエリアネットワークに接続させ、前記ワイヤレスローカルエリアネットワーク内のデータにアクセスすることもできる。なお、ワイヤレスサービス電源デバイス２００は、ユニバーサル・シリアル・バス（ＵＳＢ）インターフェース、エスディーアイオー（ＳＤＩＯ）インターフェース、或いはハイスピードインターチップ（ＨＳＩＣ）インターフェースを介して外部デバイス４００と電気的に接続されるが、これに限定されるものではない。
【００３０】
図４は、本発明の組合せ式モバイルホットスポットデバイスの実施例の概略図である。図には、本発明によるネットワークアクセスデバイス５００とワイヤレスサービス電源デバイス６００とが描かれている以外に、三台の電子デバイス７００、８００、及び９００が描かれている。ネットワークアクセスデバイス５００には２Ｇ、３Ｇ或いはＷＩＭＡＸ等のネットワーク通信技術が設けられている。これにより、ネットワークアクセスデバイス５００はモバイルインターネットにアクセスする能力を備えることができ、ワイドエリアネットワークに接続することができる。また、ネットワークアクセスデバイス５００には、ワイヤレスアクセスポイントサービスがさらに設けられ、ワイヤレスローカルエリアネットワークを制御することができるとともにワイドエリアネットワークに接続させることができる。ワイヤレスサービス電源デバイス６００は、電力の貯蔵と供給能力を備えている。ワイヤレスサービス電源デバイス６００内にはＷｉ−Ｆｉ通信能力を有するパーツが設けられ、それにより、ワイヤレスサービス電源デバイス６００はワイヤレスローカルエリアネットワークアクセス能力を備えることができる。ネットワークアクセスデバイス５００とワイヤレスサービス電源デバイス６００とが、ユニバーサル・シリアル・バス（ＵＳＢ）インターフェース、エスディーアイオー（ＳＤＩＯ）インターフェース、或いはハイスピードインターチップ（ＨＳＩＣ）インターフェースを介して電気的に接続された時、その両者の組み合わせは本発明による組合せ式モバイルホットスポットデバイスとなる。この時、ネットワークアクセスデバイス５００はホストモード（Ｈｏｓｔ  Ｍｏｄｅ）で作動され、ワイヤレスサービス電源デバイス６００はデバイスモード（Ｄｅｖｉｃｅ  Ｍｏｄｅ）で作動される。その両者が電気的に接続された時、ワイヤレスサービス電源デバイス６００はネットワークアクセスデバイス５００に電力を供給し、それにより、ネットワークアクセスデバイス５００は作動を続けることができる。また、ワイヤレスサービス電源デバイス６００とネットワークアクセスデバイス５００を一緒に用い、ワイヤレスローカルエリアネットワーク接続サービスを起動させることで、図に示す三台の電子デバイス７００、８００及び９００をワイヤレスローカルエリアネットワークに連結させることができる。この時、ネットワークアクセスデバイス５００のワイヤレスアクセスポイントサービスが起動され、それにより、ワイドエリアネットワークとワイヤレスローカルエリアネットワーク間のチャンネルが構築され、ワイドエリアネットワークとワイヤレスローカルエリアネットワーク間のデータ伝送がブリッジ接続される。それにより、電子デバイス７００、８００及び９００がワイドエリアネットワークに接続され、ワイドエリアネットワーク内のデータにアクセスする能力を得ることができる。この実施例のワイヤレスサービス電源デバイス６００はＷｉ−Ｆｉの技術によってワイヤレスローカルエリアネットワークを構築するため、前記三台の電子デバイス７００、８００及び９００にもＷｉ−Ｆｉの機能を設ける必要がある。それにより、ワイヤレスサービス電源デバイス６００によって構築��れたワイヤレスローカルエリアネットワークに連結することができ、さらに、ネットワークアクセスデバイス５００を介してワイドエリアネットワークに接続することができる。
【００３１】
図５を参照する。図５は、本発明の組合せ式モバイルホットスポットデバイスのネットワークサービス提供方法の手順を示すフローチャートである。その手順は以下の通りである。
【００３２】
ネットワークアクセスデバイスを、ワイヤレスサービス電源デバイス、或いは外部ホストマシンに選択的に電気的に接続する。なお、ネットワークアクセスデバイスと、ワイヤレスサービス電源デバイス或いは外部ホストマシンの間は、ＵＳＢ、ＳＤＩＯ、或いはＨＳＩＣ等インターフェースを介して接続される（Ｓ５１）。
【００３３】
ネットワークアクセスデバイスがワイヤレスサービス電源デバイスに電気的に接続されている場合は、ワイヤレスサービス電源デバイスによって電力がネットワークアクセスデバイスに供給されることにより、ネットワークアクセスデバイスが起動する（Ｓ５２）。
【００３４】
ネットワークアクセスデバイスは、その接続インターフェースユニットがダブル作動モードのホストモードで作動していると判断した後、内蔵したワイヤレスアクセスポイントサービスを起動させる（Ｓ５３）。
【００３５】
ワイヤレスアクセスポイントサービスによってワイヤレスサービス電源デバイスに内蔵したワイヤレスローカルエリアネットワークパーツが制御され、ワイヤレスローカルエリアネットワークが構築される（Ｓ５４）。
【００３６】
ワイヤレスアクセスポイントサービスによってネットワークアクセスデバイスがワイドエリアネットワークにブリッジ接続され、完全なモバイルホットスポットネットワークが構築される。それにより、前記ワイヤレスローカルエリアネットワークに連結された複数の電子デバイスを、ワイドエリアネットワークに間接的に接続させることができる（Ｓ５５）。
【００３７】
ネットワークアクセスデバイスが外部ホストマシンに電気的に接続されている場合は、ネットワークアクセスデバイスは外部ホストマシンによって電力が供給される（Ｓ５６）。
【００３８】
ネットワークアクセスデバイスは、デバイスモードで作動され、外部ホストマシンの制御によりワイドエリアネットワークに接続される（Ｓ５７）。
【００３９】
上述した内容をまとめると、本発明による組合せ式モバイルホットスポットデバイスは、２Ｇ、３Ｇ、或いはＷＩＭＡＸ等のネットワーク通信技術を本発明のネットワークアクセスデバイス内に設け、また、電源及びＷｉ−Ｆｉ機器を本発明のワイヤレスサービス電源デバイス内に設ける。この方式により、ネットワークアクセスデバイス及びワイヤレスサービス電源デバイスをそれぞれ独立させて作動させることができ、ネットワークアクセスデバイスを、ワイドエリアネットワークに連結させるツールとして使用することができる。また、ワイヤレスサービス電源デバイスは、電力を供給する電力供給器として使用することができるとともに、Ｗｉ−Ｆｉローカルエリアネットワークに接続するサービスを提供することができる。また、ネットワークアクセスデバイスとワイヤレスサービス電源デバイスを組み合わせるとモバイルホットスポットデバイスになり、ワイヤレスローカルエリアネットワークアクセスポイントとして使用することができ、ローカルエリアネットワーク内の複数の電子デバイスをワイドエリアネットワークに接続させることができる。ＷＷＡＮ、Ｗｉ−Ｆｉ及び電源をそれぞれ異なるデバイスに設ける方式により、使用が便利になるだけでなく、ワイヤレスサービス電源デバイスの電源モジュールによりその電力貯蔵容量を拡大させることもできる。これにより、組み合わせた後のモバイルホットスポットデバイスの使用時間を長くすることができ、電磁干渉を効果的に減らし、放熱が悪いという問題を改善することができ、製造コストを低くすることができる。
【００４０】
以上で述べた内容は一つの実施例にすぎず、本発明を制限するものではない。本発明の主旨と範疇から外れずに行った同様の効果をもつ修正や変更は、いずれも後述する特許請求の範囲に含まれるものとする。
【符号の説明】
【００４１】
１、１００、５００  ネットワークアクセスデバイス
１１  ワイヤレスアクセスポイントサービス
１２  ワイヤレスＷＡＮトランシーバーユニット
１３  コアプロセッサユニット
１４、２４  接続インターフェースユニット
１５  電源管理ユニット
２、２００、６００  ワイヤレスサービス電源デバイス
２１  電力貯蔵ユニット
２２  電力補充ユニット
２３  ワイヤレスローカルエリアネットワークトランシーバーユニット
３００  ノートパソコン
４００  外部デバイス
７００、８００、９００  電子デバイス
Ｓ５１〜Ｓ５７    手順
【図１】
2013090321.tif 000003
【図２】
2013090321.tif 000004
【図３】
2013090321.tif 000005
【図４】
2013090321.tif 000006
【図５】
2013090321.tif 000007